(57)【要約】【課題】パッドが清掃中に外れないパッドホルダを提供することを目的とする。【解決手段】パッドホルダ１０は、取付け孔を有する清掃用のパッド３０を保持する。パッドホルダ１０は、取付け孔を有するホルダ本体１１と、ホルダ本体１１に当接して配置されたパッド３０を、取付け孔を介してホルダ本体１１と一体化させるための締め付け部材を含む。締め付け部材は、パッド３０側から挿入されるネジ部材１３と、ネジ部材１３に係合するナット部材１２とを含む。【選択図】図１
2010042057.tif 000002
【特許請求の範囲】
【請求項１】
取付け孔を有する清掃用のパッドを保持するパッドホルダであって、
取付け孔を有するホルダ本体と、
前記ホルダ本体に当接して配置された前記パッドを、前記取付け孔を介して前記ホルダ本体と一体化させるための締め付け部材とを含み、
前記締め付け部材は、パッド側から挿入されるネジ部材と、
前記ネジ部材に係合するナット部材とを含む、パッドホルダ。
【請求項２】
前記パッドの取付け孔、および、前記パッドホルダの取付け孔は複数設けられる、請求項１に記載のパッドホルダ。
【請求項３】
前記ホルダ本体は前記パッドに当接する側に設けられた複数の突起部を含む、請求項１または２に記載のパッドホルダ。
【請求項４】
前記ホルダ本体の前記パッドが当接しない側にはパッドホルダを保持するための保持部材が設けられる、請求項１から３のいずれかに記載のパッドホルダ。
【請求項５】
前記ネジ部材の頭は平坦である、請求項１から４のいずれかに記載のパッドホルダ。
【発明の詳細な説明】
【技術分野】
【０００１】
この発明は清掃用のパッドを保持するパッドホルダに関し、特に、パッドを確実に保持できるパッドホルダに関する。
【背景技術】
【０００２】
従来から、床や壁や天井を清掃する際に、清掃用のパッドを保持するパッドホルダが使用されている。パッドホルダにパッドを取付けて床面等を洗浄する。パッドはナイロンファイバやポリエステルファイバ製であり、その内部には研磨剤が含まれているため、これを用いて清掃を行なうと容易に汚れを取ることができる。
【０００３】
このようなパッドホルダとしては、従来、パッドを長手方向の両側から押し付けて保持する形式のものがある。
【０００４】
また、清掃機用のパッドの取付け装置において、ホルダの取付け面に清掃体であるパッドの回転に従ってパッドに食い付く構造の突起爪を多数設けると共に、この突起爪に断面略矢印形状の戻り防止爪を設けた構成が、たとえば、特開２００４−１１３７００号公報（特許文献１）に開示されている。
【特許文献１】特開２００４−１１３７００号公報（要約）
【発明の開示】
【発明が解決しようとする課題】
【０００５】
従来のパッドホルダは上記のように構成されていた。パッドを保持するためにパッドを長手方向の両側から押し付けて保持したり、パッドに食い付く構造の突起爪を設けたりしていた。
【０００６】
しかしながら、このような工夫をしても、清掃中にパッドがパッドホルダから外れ、清掃作業が中断するという問題があった。
【０００７】
この発明は上記のような問題点に鑑みてなされたもので、パッドが清掃中に外れないパッドホルダを提供することを目的とする。
【課題を解決するための手段】
【０００８】
この発明に係るパッドホルダは、取付け孔を有する清掃用のパッドを保持する。パッドホルダは、取付け孔を有するホルダ本体と、ホルダ本体に当接して配置されたパッドを、取付け孔を介して前記ホルダ本体と一体化させるための締め付け部材とを含み、締め付け部材は、パッド側から挿入されるネジ部材と、ネジ部材に係合するナット部材とを含む。
【０００９】
ホルダ本体とパッドとがネジ部材とナット部材とで締め付けられるため、ホルダ本体とパッドとが強固に一体化される。
その結果、パッドが清掃中に外れないパッドホルダを提供できる。
【００１０】
好ましくは、パッドの取付け孔、および、パッドホルダの取付け孔は複数設けられる。
【００１１】
さらに好ましくは、ホルダ本体はパッドに当接する側に設けられた複数の突起部を含む。
【００１２】
ホルダ本体のパッドが当接しない側にはパッドホルダを保持するための保持部材が設けられてもよい。
【００１３】
ネジ部材の頭は平坦であるのが好ましい。
【発明を実施するための最良の形態】
【００１４】
以下、この発明の実施の形態を、図面を参照して説明する。図１はこの発明の一実施の形態に係るパッドホルダ１０にパッド３０を取付けた状態を示す斜視図であり、図２は図１において、ＩＩで示す方向から見た矢視図と、部分断面図である。図１および図２を参照して、パッドホルダ１０は矩形状の平板であるホルダ本体１１と、ホルダ本体１１に当接して配置されたパッド３０とを含む。パッドホルダ１１の四隅は面取りされているのが好ましい。
【００１５】
パッド３０およびパッドホルダ本体１１はともに中心に対して対称な位置に連続した一対の貫通孔３１ａ，３１ｂ，および、１４ａ，１４ｂを有する。パッド３０およびパッドホルダ本体１１はこの貫通孔３１ａ，３１ｂ，および、１４ａ，１４ｂ(図３参照)を貫通するネジ部材１３ａ，１３ｂと、このネジ部材１３ａ，１３ｂに係合するナット部材１２ａ，１２ｂによって固定されている。ネジ部材１３ａ，１３ｂとナット部材１２ａ，１２ｂとは締め付け部材を構成する。
【００１６】
ネジ部材１３ａ，１３ｂ、および、ナット部材１２ａ，１２ｂはそれぞれ同じ構成であるため、以下では一方についてのみ説明する。ネジ部材１３ａは一定の径を有するヘッド部１５ａとヘッド部１５ａより小さい径を有するネジ部１６ａと、ヘッド部１５ａネジ部１６ａとを接続する段部１６ｃ（図３参照）とを含む。ネジ部１６ａにナット部１２ａを係合し、ナット部１２ａを締め付ける。
【００１７】
パッド３０はナイロンまたはポリエステルファイバで構成されているため、ナット部１２ａを締め付けるとパッド３０のヘッド部１５ａ近傍は圧縮されるため、図２において矢印Ｃで示すようにヘッド部１５ａ近傍は上に持上げられる。その結果、ネジ部材１３ａのヘッド部１５ａは清掃面３２の邪魔にならない。なお、パッド３０としては、任意のパッドを使用できる。
【００１８】
次に、パッドホルダ１０の保持部材２０について説明する。ホルダ本体１１の中央部には一対の突起部２１ａ，２１ｂが設けられている。この突起部２１ａ，２１ｂには両端部を突起部２１ａ，２１ｂに保持された軸２３が設けられ、この軸２３を介して取付け部材２２が設けられている。取付け部材２２は軸２３を中心として回転可能な円筒状の円筒部材２２ａと円筒部材２２ａの軸方向の円周面に径方向外部に向かって延びる矩形状の板状部材２２ｂとを含む。矩形状の板状部材２２ｂは所定の厚さを有している。
【００１９】
一方、保持部材２０はパッドホルダ１０を用いてユーザが床掃除をするときに保持する長手の棒状部材２８と、棒状部材２８をホルダ本体１１に接続するための棒状部材接続部２７を含む。棒状部材接続部２７は、棒状部材２８の端部を挿入可能な開口部２７ａと、開口部２７ａの反対側に設けられたホルダ本体接続部２５とを含む。ホルダ本体接続部２５は、相互に間隔を開けて設けられた一対の部材２５ａ，２５ｂを有する。
【００２０】
一対の部材２５ａ，２５ｂ相互間の寸法は、その間に板状部材２２ｂが挟まれるような寸法である。一対の部材２５ａ，２５ｂと板状部材２２ｂとはピン２４で接続されている。また、一対の部材２５ａ，２５ｂのホルダ本体１１側の端部は半円形状であり、それによって、ピン２４を介して棒状部材２８を図１においてＡで示す方向に移動可能である。
【００２１】
なお、棒状部材２８はホルダ本体接続部２５を経て軸２３を介してホルダ本体１１に接続されているため、図１においてＢで示す方向にも移動可能である。
【００２２】
また、棒状部材２８の下端部近傍の所定の位置には円周方向外部に突出可能に付勢されたピン２９が設けられるとともに、棒状部材接続部２７の対応する部分にはピン２９が係合可能な孔２９ａが設けられている。この構成により、ピン２９を押圧することによって、棒状部材２８は棒状部材接続部２７に対して着脱自在となる。
【００２３】
次に、パッド３０とパッドホルダ１０との接続の詳細について説明する。図３は、この詳細を説明するための図であり、図１に示した状態をそのパッド３０側から見た分解斜視図である。図３（Ａ）はネジ部材１３ａ，１３ｂを示す図であり、図３（Ｂ）はパッド３０を示す図であり、図３（Ｃ）はパッドホルダ１０を示す図であり、図３（Ｄ）はナット部材１２ａ，１２ｂを示す図である。図３（Ｅ）は、図３（Ｃ）においてＥで示した部分の拡大図であり、ホルダ本体１１の側面図である。
【００２４】
図３（Ａ）〜（Ｅ）を参照して、パッド３０をパッドホルダ１０のホルダ本体１１上に載置する。このとき、それぞれの貫通孔３１ａ、１４ａ、および、３１ｂ，１４ｂが整列するようにする。この状態でパッド３０側からネジ部材１３ａ，１３ｂをそれぞれの貫通孔３１ａ、１４ａ、および、３１ｂ，１４ｂに挿入する。挿入後、ネジ部材１３ａ，１３ｂのネジ部１６ａ，１６ｂにナット部材１２ａ，１２ｂのネジ部１９ａ，１９ｂを係合させて、ネジ部材１２ａ，１２ｂのつまみ部分１８ａ，１８ｂを回転してネジを締め付ける。その結果、図２に示したように、パッド３０とパッドホルダ１１とが強固に一体化される。
【００２５】
なお、図３（Ｃ）および（Ｅ）に示すように、パッドホルダ１１のパッド３０と当接する側には、複数の突起部１１ａが設けられており、これによって、パッド３０がホルダ本体１１に当接したときにパッド３０とホルダ本体１１とがより一体化され、よりずれないようになる。
【００２６】
また、ネジ部材１２ａ，１２ｂのつまみ部分１８ａ，１８ｂは指で回転したときに回転しやすいように、円周方向に一定の間隔で同一形状の複数の突起部が設けられている。なお、この突起部としては、多くの突起部を設けてもよいし、２から３の少ない数の突起部であってもよい。また、これらを併用してもよい。
【００２７】
次に、ホルダ本体１１とパッド３０とをネジ部材とナット部材とで締め付ける他の例について説明する。図４はこの例を示す図である。図４を参照して、この例においては、ホルダ本体１１にネジ孔３６が設けられ、このネジ孔３６に係合するネジ部材３３が設けられる。したがって、ネジ孔３６がナット部材として機能する。ネジ部材３３はその下端部（パッド側）に下方向に広がった円錐形部分３４を有する。円錐形部分３４の下端部の最大径はパッド３０の貫通孔３１よりも小さい。この円錐形部分３４には同じく円錐形状の係合部材３５がその外周部に係合する。
【００２８】
係合部材３５は円錐部３５ａと、その下部に水平方向に延在する鍔部３５ｂとを有する。円錐部３５ａの先端部の外径はパッド３０の貫通孔３１よりも小さく、鍔部３５ｂの外周はパッド３０の貫通孔３１よりも大きい径を有している。
【００２９】
ホルダ本体１１にパッド３０を取り付けるときは、パッド３０の貫通孔３１内にネジ部材３３の下端部を挿入する。この状態でホルダ本体１１とは反対側から係合部材３５の円錐部３５ａをパッド３０の貫通孔３１内に図に示すよう押し込む。その後、ネジ部材３３を回転させてホルダ本体１１とパッド３０とを一体化する。
【００３０】
このような構成であれば、ネジ部材３３はホルダ本体１１と一体化されるため、ネジ部材３３を紛失することはない。
【００３１】
なお、上記実施の形態においては、２つの貫通孔を有するパッドを用いた場合について説明したが、これに限らず、中央部に１つの貫通孔を有するパッドや、３つ以上の貫通孔を有するパッドを用いて、保持部材とパッドホルダとの接続部を貫通孔以外の部分に設けるようにしてもよい。
【００３２】
また、上記実施の形態においては、パッドホルダに棒状の保持部材を設けた場合について説明したが、これに限らず、保持部材としては、手で直接保持する把持部材としてもよい。この場合、把持部材はパッドホルダに設ける必要があるが、この取付け位置は貫通孔を避けて、貫通孔の並ぶ方向に直交する方向とか、貫通孔をまたぐ位置等の貫通孔を避けた位置に設けるようにしてもよい。
【００３３】
また、上記実施の形態においては、手等で保持して清掃する場合を例にあげて説明したが、これに限らず、機械式の清掃用具であっても同様にパッドホルダとパッドとをネジ部品による締め付け部材で締め付けてもよい。
【００３４】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３５】
この発明に係るパッドホルダは、パッドと一体化できるため、清掃用具として有利に使用される。
【図面の簡単な説明】
【００３６】
【図１】この発明の一実施の形態に係るパッドとパッドホルダとを一体化した全体構成を示す斜視図である。
【図２】パッドとパッドホルダとの接続部の詳細を示す部分断面図を含む側面図である。
【図３】パッドとパッドホルダとの接続部の詳細を示す分解斜視図である。
【図４】ホルダ本体とパッドとをネジ部材とナット部材とで締め付ける他の例を示す図である。
【符号の説明】
【００３７】
１０  パッドホルダ、１１  ホルダ本体、１２  ネジ部材、１３  ネジ部材、１４  貫通孔、１５  ヘッド部、１６  ネジ部、２０  保持部材、３０  パッド、３１  貫通孔。
【図１】
2010042057.tif 000003
【図２】
2010042057.tif 000004
【図３】
2010042057.tif 000005
【図４】
2010042057.tif 000006